(57)【特許請求の範囲】
【請求項１】
機器匣体の外面側に配される操作部材と、
上記機器匣体の内部において被操作部に係合される可動部材とを有し、
上記操作部材と上記可動部材の何れか一方の部材に、他方の部材に係合される係合顎部を有し且つ弾性を保有する係合部を設け、
上記他方の部材には、上記係合顎部が当該他方の部材から外れる方向へ弾性変形するのを阻止する係止部を設けたことを特徴とする操作ボタン装置。
【請求項２】
上記係合部は、上記係合顎部が相反する方向に突出する一対の弾性突起からなり、当該一対の弾性突起の間に上記係止部を介在させたことを特徴とする請求項１に記載の操作ボタン装置。
【請求項３】
上記係止部は、弾性を保有する板状部を有し、上記係合部の係合動作時には当該板状部が弾性変形して上記係止部が後退することによって上記係合部の挿入を可能とし、当該係合部の挿入後に復元して上記係合顎部が上記他方の部材に係合するようにしたことを特徴とする請求項１に記載の操作ボタン装置。
【発明の詳細な説明】
【０００１】
【発明の属する技術分野】
本発明は、例えば電子機器の各種スイッチ、蓋のロック部等を操作する操作ボタン装置に関する。
【０００２】
【従来の技術】
従来、例えば、電子機器に備えるスイッチはスイッチ本体が機器匣体内部に配置され、これを操作する操作ボタン装置は操作子、いわゆるつまみが機器匣体の外面側に表出されており、このつまみに連結される可動部材が機器匣体内部においてスイッチ本体に係合又は結合されている。
【０００３】
このように構成される操作ボタン装置は、つまみを機器匣体側に軸ピンにより起伏可能に軸着したり、また、つまみに係合爪を設けて摺動可能に係合し、一方、つまみと可動部材との連結は、互いに螺合するか、溶着又はねじ止め等により行っている。
【０００４】
また、つまみを機器匣体側に係合爪により係合する場合には、この係合爪が機器匣体側の係合部の何れか一方側に弾性を保有させておき、この弾性保有部の弾性変形により係合させている。
【０００５】
【発明が解決しようとする課題】
このように構成される操作ボタン装置は、つまみを機器匣体側に軸ピンを用いた軸着により取付けるものにおいては、この取付けに手数を要し、また、係合爪の弾性係合により取付けるものにおいては、つまみに抜脱方向の力が加わった場合は、係合爪又は係合部の弾性変形により係合が外れ、つまみが不用意に抜脱するおそれがある。
【０００６】
本発明はかかる点に鑑みてなされたもので、機器匣体側への取付けが係合動作により容易に行えると共に、係合状態で係止され、機器匣体側に確実に取付けることができると共に不用意に抜脱することのない操作ボタン装置を提供することを目的とする。
【０００７】
【課題を解決するための手段】
上記目的を達成するために本発明による操作ボタン装置は、機器匣体の外面側に配される操作部材と、機器匣体の内部において被操作部材に係合される可動部材とを有し、操作部材と可動部材の何れか一方の部材に、他方の部材に係合される係合顎部を有し且つ弾性を保有する係合部を設け、他方の部材には、係合顎部がこの他方の部材から外れる方向へ弾性変形するのを阻止する係止部を設けて構成したものである。
【０００８】
このように構成される操作ボタン装置は、操作部材と可動部材を機器匣体の壁部を挟んで外側と内側に配して一方の部材に設けた係合顎部を有する係合部を他方の部材に係合し、この係合状態で他方の部材に設けた係止部により係合顎部がこの他方の部材から外れる方向へ弾性変形するのを阻止することにより、一方の部材の係合部は他方の部材に対する係合が不用意に外れることなく、両部材、即ち、操作部材と可動部材は一体化されて操作部材を操作することにより可動部材を介して機器匣体の内部の被操作部が操作される。
【０００９】
【発明の実施の形態】
以下、本発明の実施の形態を図面を参照して説明するに、スライド型の操作ボタン装置に本発明を適用した場合について説明する。
【００１０】
図１〜図５において１は、一例のスライド型操作ボタン装置の全体を示し、この操作ボタン装置１は機器匣体Ａ（図４及び図５参照）に取付けられる保持枠２を挟んで係合連結される操作部材としてのつまみ３と可動部材としての摺動体４とから構成されている。
【００１１】
このうち、操作部材としてのつまみ３は、平面視矩形状の有底保持枠２にその長手方向に摺動可能に嵌挿されるように平面視矩形のブロック状に形成され、図２及び図３に示すように、内面両側部に係合部としての一対の突起５を所要の間隔ａ（図３参照）を置いて内外方向に弾性変形可能に垂設してあり、この突起５の先端外面側には係合顎部５ａが形成されている。そして、このつまみ３の突起５は、つまみ３を保持枠２に嵌挿した状態でその底部２ａに長手方向に矩形状に形成された案内窓孔２ｂから裏面側に突出される。
【００１２】
また、可動部材としての摺動体４は、平面視略矩形の板状で、つまみ３の一対の突起５がそれぞれ挿通されてその先端の係合顎部５ａが係合される係合孔部６が形成され、この係合孔部６に連続して長手方向に案内長孔７が形成されており、この案内長孔７の端面を基端とし係合孔部６側の端面の近傍に達する係止片８を弾性変形可能に片持ち状に延設してある。
【００１３】
そして、この係止片８の係合孔部６に臨む自由端部にはつまみ３に穿設された貫通孔３ａに挿通される押圧突子９が突設されており、この押圧突子９の基部両側面には係合孔部６の両側面に対向して押圧部９ａが突出形成され、また、係止片８のほぼ中間には、保持枠２の案内窓孔２ｂに係合される係合突部１０が突設されている。さらに、この摺動体４の内面側には被操作部（図示せず）に係合する係合連結部１１が形成され、案内長孔７の前部に内面との間に所要間隔ｂ（図３参照）を置いて横断する方向に支持片１２が延設されている。
【００１４】
このように形成されるつまみ及び摺動体４は、それぞれポリプロピレン樹脂等の弾性を保有する合成樹脂により一体成形され、これによりつまみ３の突起５及び摺動体４の係止片８は弾性変形可能になる。
【００１５】
そして、このつまみ３と摺動体４との組立連結は、図３に示すように、先ず、摺動体４を保持枠２の裏面側に重ね合せて、押圧突子９を案内窓孔２ｂから表面側に突出させると共に係合突起１０を案内窓孔２ｂに嵌挿する。この状態でつまみ３を保持枠２の表面側に対応させて突起５を案内窓孔２ｂの内側面と摺動体４の押圧突子９の側面との間に挿入して押込むと、図３に一点鎖線で示すように、貫通孔３ａに押圧突子９が挿入されると共に突起５は係合顎部５ａが案内窓孔２ｂの内側面に摺接することにより内方へ弾性変形されて先端部が押圧突子９の側面に摺接してその基部の押圧部９ａの突出肩部に当接係合される。
【００１６】
この状態でつまみ３をさらに押込むことにより、図３に二点鎖線で示すように、突起５が押圧部９ａを押圧しながら案内窓孔２ｂからこれと連通状態にある摺動体４の係合孔部６に押圧部９ａを押圧したまま挿入され、この押圧により係止片８は摺動体４の裏面側へ弾性変形され、即ち、突起５から逃げる方向に変形される。そして、突起５は、図３に実線で示すように、係合顎部５ａが係合孔部６から裏面側に突出することによりその反発力で外方へ弾性復帰し、係合顎部５ａは係合孔部６の裏面側縁部に係合される。この両突起５の復帰により、係止片８は押圧部９ａの押圧が解除され、これにより弾性復帰してその自由端部、即ち、押圧部９ａが両突起５間に挿入されて両突起５は係合顎部５ａが係合状態で係止されて内方への弾性変形が阻止され、摺動体４に対して不用意に離脱することはない。
【００１７】
また、この状態でつまみ３は保持枠２にその底部２ａに当接した状態で嵌挿され、保持枠２を摺動体４とより表裏から挟持することになる。
【００１８】
このようにしてつまみ３と摺動体４とにより挟持された保持枠２を図４及び図５に示すように、機器匣体Ａに形成した窓孔Ａ1 に嵌合してその内縁に係合爪１３と１４を係合することにより固定する。そして、摺動体４は機器匣体Ａ内において、切換スイッチ等の被操作部材（図示せず）に係合連結部１１が係合される。
【００１９】
以上のように機器匣体Ａに取付けられる操作ボタン装置１は、図４に二点鎖線で示すように、つまみ３の貫通孔３ａから突出される摺動体４の押圧突子９の先端を押圧して押込むことにより、係止片８は内方へ弾性変形されて係合突部１０が保持枠２の案内窓孔２ｂから外れ、これにより、摺動体４は保持枠２に対して摺動可能になる。この状態では、図５に示すように、係合突部１０は保持枠２の内面側に摺接し、係止片８は内方へ弾性変形されたままであり、このため押圧突子９はつまみ３の貫通孔３ａ内に押込まれたまま保持されている。
【００２０】
そして、この摺動操作状態からつまみ３が戻し摺動されるとこれと一体に摺動体４が摺動されて係止片８の係合突部１０が保持枠２の案内窓孔２ｂに臨むことにより係合片８は弾性復元されて押圧突子９はつまみ３の貫通孔３ａから突出されると共に係合突部１０が保持枠２の案内窓孔２ｂの前端内面に係合し、一方押圧突子９は案内窓孔２ｂの後端内面に当接することによりつまみ３と摺動体４は保持枠２に対して係止され、被操作部材は被操作状態で保持される。
【００２１】
以上のように構成される本例の操作ボタン装置１を備えたカメラ一体型ビデオテープレコーダ（以下、カメラ一体型ＶＴＲという）を図６に示す。
【００２２】
このカメラ一体型ＶＴＲ２１にテープカセット取出操作ボタンとして本例の操作ボタン装置１が備えられている。即ち、この操作ボタン装置１はカメラ一体型ＶＴＲ２１の本体２２の一側面側にテープカセット取出蓋２３の近傍に位置して備えられており、この操作ボタン装置１を前述したように操作することにより、テープカセット取出蓋２３が開放されると共にカセットホルダ（図示せず）が表出されてテープカセットを取出すことができるようになっている。
【００２３】
また、本体２２の前面側には撮影レンズ２４が備えられ、後部側にビューファインダー２５が備えられており、上面側には、把手２６が取付けられて、その前面側にマイクロ２７が備えられている。
【００２４】
このように構成されるカメラ一体型ＶＴＲ２１に本例の操作ボタン装置１を取付けるには、保持枠２に対してつまみ３と摺動体４を前述したように組付けた状態で、カメラ一体型ＶＴＲ２１の本体２２の所定部位に形成した取付窓孔部に図４及び図５に示すように保持枠２を嵌合して、内縁部に係合爪１３と１４を係合することにより取付ける。
【００２５】
以上、本発明による操作ボタン装置の実施の形態例を説明したが、本発明はこの実施の形態例に限定されるものではなく、本発明の趣旨を逸脱しない範囲で種々変更できるもので、例えば、つまみは機器の形態に合せた形状に形成し、摺動体の係合部は被操作部材の構成に応じた構成にする等の取付け機器に対応して設計変更は任意に行えるものである。
【００２６】
【発明の効果】
以上のように本発明による操作ボタン装置は、機器匣体の外面側に配される操作部材と、機器匣体の内部において被操作部材に係合される可動部材とを機器匣体にその壁部を挟むように配置し、操作部材と可動部材の何れか一方の部材に設けた係合部を他方の部材に係合させて、他方の部材に設けた係止部により一方の部材の係合部がこの他方の部材から外れる方向へ弾性変形するのを阻止するように構成したことにより、操作部材と可動部材とは一体的に連結されて機器匣体に対して不用意に離脱することなく、被操作部材を確実に操作でき、また、操作部材と可動部材の係合時は係止部が係合部から離れた状態にあり、このため係合部の係合が円滑に行われ、作業性が良好で機器匣体等への取付けが容易に行える等の効果を有する。
【図面の簡単な説明】
【図１】本発明による操作ボタン装置の一例の斜視図である。
【図２】図１に示す操作ボタン装置の分解斜視図である。
【図３】図１に示す操作ボタン装置の縦断正面図で、係合組立ての説明に供する。
【図４】図１に示す操作ボタン装置の縦断側図面で、ロック解除操作の説明に供する。
【図５】図１に示す操作ボタン装置の操作状態の縦断面図である。
【図６】図１に示す操作ボタン装置を備えたカメラ一体型ビデオテープレコーダの斜視図である。
【符号の説明】
２  保持枠
３  操作部材してのつまみ
４  可動部材としての摺動体
５  突起
５ａ  係合顎部
６  係合孔部
８  係止部としての係止片
９  押圧突子
【図１】
0003716457.tif 000002
【図２】
0003716457.tif 000003
【図３】
0003716457.tif 000004
【図４】
0003716457.tif 000005
【図５】
0003716457.tif 000006
【図６】
0003716457.tif 000007